(57)【要約】      （修正有）【課題】着用者の前方側にロープが取り付けられるフルハーネス型安全帯の上に着用し易い空調衣服の服本体及び空調衣服を提供する。【解決手段】通気性のない又はファンによる空気の導入によって膨らませることができる程度の通気性を有する服地によって、少なくとも着用者の胴部を覆う形状に形成され、ファンを取り付けるためのファン取付孔と、ファンによって導入された空気を排出する空気排出部１５と、を備えた服本体であって、前身頃に、ロープを貫通させることができる前身頃ロープ貫通手段１８を備える。【選択図】図１
0003220903.tif 000002
【実用新案登録請求の範囲】
【請求項１】
通気性のない又は空気導入手段による空気の導入によって膨らませることができる程度の通気性を有する服地によって、少なくとも着用者の胴部を覆う形状に形成され、
前記空気導入手段を取り付けるための取付孔と、
前記空気導入手段によって導入された空気を排出する空気排出部と、
を備えた空調衣服の服本体であって、
前身頃に、ロープを貫通させることができる前身頃ロープ貫通手段を備えることを特徴とする空調衣服の服本体。
【請求項２】
前身頃を着脱自在に左右に分割する第一開閉手段をさらに備え、
前記前身頃ロープ貫通手段は前身頃の左右方向中央部に形成され、
前記第一開閉手段は、前記前身頃ロープ貫通手段を避けて形成されていることを特徴とする請求項１に記載の空調衣服の服本体。
【請求項３】
前記第一開閉手段は、前身頃の左右方向右寄り又は左寄りの位置に、上下方向に延在するように形成されていることを特徴とする請求項２に記載の空調衣服の服本体。
【請求項４】
前記第一開閉手段は、上端部又は下端部が前身頃の左右方向右寄り又は左寄りに位置し、上下方向に対して斜めに延在するように形成されていることを特徴とする請求項２に記載の空調衣服の服本体。
【請求項５】
前記第一開閉手段は、上端部及び下端部が前身頃の左右方向中央部に位置し、前記前身頃ロープ貫通手段近傍において、これを避けて湾曲するように形成されていることを特徴とする請求項２に記載の空調衣服の服本体。
【請求項６】
前記前身頃ロープ貫通手段は、
前身頃の服地に形成された開閉自在な孔部である第二開閉手段と、
筒状に形成され、一方の端部が前記第二開閉手段を囲むように前身頃に接合された前身頃ロープ挿通部と、
前記前身頃ロープ挿通部の前身頃に接合されているのとは反対側の端部に形成された前身頃空気漏れ防止手段と、
を備えることを特徴とする請求項１から５のいずれか一項に記載の空調衣服の服本体。
【請求項７】
前記第一開閉手段は、前身頃の左右方向右寄りの位置に形成され、
前記第一開閉手段のうち、第一開閉手段によって前身頃を左右に分割した際に前身頃右側に位置する第一開閉手段右側は、前身頃右側の端部と間隔を空けた位置に形成され、
前記前身頃ロープ貫通手段は、
前身頃右側の、前記第一開閉手段右側と前身頃右側の端部との間の位置に形成され、ロープを貫通させることができる第一前身頃ロープ貫通手段と、
前身頃左側の、前記第一開閉手段によって前身頃の左右を接続した際に前記第一前身頃ロープ貫通手段と重なる位置に形成され、ロープを貫通させることができる第二前身頃ロープ貫通手段と、を備えることを特徴とする請求項３に記載の空調衣服の服本体。
【請求項８】
前記第一開閉手段は、前身頃の左右方向左寄りの位置に形成され、
前記第一開閉手段のうち、第一開閉手段によって前身頃を左右に分割した際に前身頃左側に位置する第一開閉手段左側は、前身頃左側の端部と間隔を空けた位置に形成され、
前記前身頃ロープ貫通手段は、
前身頃左側の、前記第一開閉手段左側と前身頃左側の端部との間の位置に形成され、ロープを貫通させることができる第一前身頃ロープ貫通手段と、
前身頃右側の、前記第一開閉手段によって前身頃の左右を接続した際に前記第一前身頃ロープ貫通手段と重なる位置に形成され、ロープを貫通させることができる第二前身頃ロープ貫通手段と、を備えることを特徴とする請求項３に記載の空調衣服の服本体。
【請求項９】
前記前身頃ロープ貫通手段は、ロープを貫通させた状態においても開口部が残るように形成され、
前記前身頃ロープ貫通手段が、前記空気排出部を兼ねることを特徴とする請求項１から８のいずれか一項に記載の空調衣服の服本体。
【請求項１０】
後身頃に、ロープを貫通させることができる後身頃ロープ貫通手段をさらに備えることを特徴とする請求項１から９のいずれか一項に記載の空調衣服の服本体。
【請求項１１】
前記後身頃ロープ貫通手段は、
後身頃の服地に形成された開閉自在な孔部である第三開閉手段と、
筒状に形成され、一方の端部が前記第三開閉手段を囲むように後身頃に接合された後身頃ロープ挿通部と、
前記後身頃ロープ挿通部の後身頃に接合されているのとは反対側の端部に形成された後身頃空気漏れ防止手段と、
を備えることを特徴とする請求項１０に記載の空調衣服の服本体。
【請求項１２】
前記後身頃ロープ貫通手段は、ロープを貫通させた状態においても開口部が残るように形成され、
前記後身頃ロープ貫通手段が、前記空気排出部を兼ねることを特徴とする請求項１０又は１１に記載の空調衣服の服本体。
【請求項１３】
請求項１から１２のいずれか一項に記載の空調衣服の服本体と、
前記空調衣服の服本体の内部に空気を導入する空気導入手段と、
前記空気導入手段に電力を供給する電源手段と、
を備えることを特徴とする空調衣服。
【考案の詳細な説明】
【技術分野】
【０００１】
本考案は、空調衣服の服本体及び空調衣服に関するものである。
【背景技術】
【０００２】
近年、身体を冷却する空調衣服が実用化され、急速に普及しつつある。従来の空調衣服は、通気性の低い素材で形成された服本体と、服本体の後側の下方に取り付けられた２つのファンと、２つのファンに電力を供給するための電源装置と、電源装置と２つのファンとを電気的に接続するための電源ケーブルと、を備える。
【０００３】
ファンを作動させると、大量の空気がファンから服本体内に取り込まれ、取り込まれた空気の圧力により服本体と着用者の身体との間に空気流通路が自動的に形成される。取り込まれた空気は、形成された空気流通路を着用者の身体又は下着の表面に沿って流通し、例えば、襟部や袖部の開口部に形成された空気排出部から外部に排出される。
そして、取り込まれた空気が、服本体と着用者の身体又は下着との間の空気流通路を流通する間に、身体から出た汗を蒸発させ、蒸発する際の気化熱により身体が冷却される（例えば、特許文献１参照）。
【０００４】
このような空調衣服は、高所での作業時に着用する際には、安全を確保するため、フルハーネス型安全帯と共に使用されることが想定されるところ、空調衣服の服本体の外側にフルハーネス型安全帯を装着した場合、服本体が外側から締め付けられ、空気流通路が閉ざされてしまうことから、空調衣服とフルハーネス型安全帯とを同時に使用する際には、空調衣服をフルハーネス型安全帯の上に着用する必要がある。
そこで、空調衣服をフルハーネス型安全帯の上に着用し易くするため、空調衣服の服本体の背上部に、フルハーネス型安全帯に備えられたロープを貫通させるためのロープ貫通手段を備えた空調衣服が知られている（例えば、特許文献２参照。）。
【先行技術文献】
【特許文献】
【０００５】
【特許文献１】国際公開第２００５／０６３０６５号
【特許文献２】特開２０１７−１４６４４号公報
【考案の概要】
【考案が解決しようとする課題】
【０００６】
フルハーネス型安全帯としては、着用者の後方側にロープが取り付けられるものが一般的であるが、この他に着用者の前方側にロープが取り付けられるものも存在している。
しかし、特許文献２に記載の空調衣服は、着用者の背上部に対応する位置にロープを貫通させる貫通手段が備えられたものであり、着用者の後方側にロープが取り付けられるフルハーネス型安全帯にしか対応することができなかった。
【０００７】
本考案の課題は、着用者の前方側にロープが取り付けられるフルハーネス型安全帯の上に着用し易い空調衣服の服本体及び空調衣服を提供することである。
【課題を解決するための手段】
【０００８】
上記課題を解決するため、請求項１に記載の考案は、
通気性のない又は空気導入手段による空気の導入によって膨らませることができる程度の通気性を有する服地によって、少なくとも着用者の胴部を覆う形状に形成され、
前記空気導入手段を取り付けるための取付孔と、
前記空気導入手段によって導入された空気を排出する空気排出部と、
を備えた空調衣服の服本体であって、
前身頃に、ロープを貫通させることができる前身頃ロープ貫通手段を備えることを特徴とする。
【０００９】
請求項２に記載の考案は、請求項１に記載の空調衣服の服本体において、
前身頃を着脱自在に左右に分割する第一開閉手段をさらに備え、
前記前身頃ロープ貫通手段は前身頃の左右方向中央部に形成され、
前記第一開閉手段は、前記前身頃ロープ貫通手段を避けて形成されていることを特徴とする。
【００１０】
請求項３に記載の考案は、請求項２に記載の空調衣服の服本体において、
前記第一開閉手段は、前身頃の左右方向右寄り又は左寄りの位置に、上下方向に延在するように形成されていることを特徴とする。
【００１１】
請求項４に記載の考案は、請求項２に記載の空調衣服の服本体において、
前記第一開閉手段は、上端部又は下端部が前身頃の左右方向右寄り又は左寄りに位置し、上下方向に対して斜めに延在するように形成されていることを特徴とする。
【００１２】
請求項５に記載の考案は、請求項２に記載の空調衣服の服本体において、
前記第一開閉手段は、上端部及び下端部が前身頃の左右方向中央部に位置し、前記前身頃ロープ貫通手段近傍において、これを避けて湾曲するように形成されていることを特徴とする。
【００１３】
請求項６に記載の考案は、請求項１から５のいずれか一項に記載の空調衣服の服本体において、
前記前身頃ロープ貫通手段は、
前身頃の服地に形成された開閉自在な孔部である第二開閉手段と、
筒状に形成され、一方の端部が前記第二開閉手段を囲むように前身頃に接合された前身頃ロープ挿通部と、
前記前身頃ロープ挿通部の前身頃に接合されているのとは反対側の端部に形成された前身頃空気漏れ防止手段と、
を備えることを特徴とする。
【００１４】
請求項７に記載の考案は、請求項３に記載の空調衣服の服本体において、
前記第一開閉手段は、前身頃の左右方向右寄りの位置に形成され、
前記第一開閉手段のうち、第一開閉手段によって前身頃を左右に分割した際に前身頃右側に位置する第一開閉手段右側は、前身頃右側の端部と間隔を空けた位置に形成され、
前記前身頃ロープ貫通手段は、
前身頃右側の、前記第一開閉手段右側と前身頃右側の端部との間の位置に形成され、ロープを貫通させることができる第一前身頃ロープ貫通手段と、
前身頃左側の、前記第一開閉手段によって前身頃の左右を接続した際に前記第一前身頃ロープ貫通手段と重なる位置に形成され、ロープを貫通させることができる第二前身頃ロープ貫通手段と、を備えることを特徴とする。
【００１５】
請求項８に記載の考案は、請求項３に記載の空調衣服の服本体において、
前記第一開閉手段は、前身頃の左右方向左寄りの位置に形成され、
前記第一開閉手段のうち、第一開閉手段によって前身頃を左右に分割した際に前身頃左側に位置する第一開閉手段左側は、前身頃左側の端部と間隔を空けた位置に形成され、
前記前身頃ロープ貫通手段は、
前身頃左側の、前記第一開閉手段左側と前身頃左側の端部との間の位置に形成され、ロープを貫通させることができる第一前身頃ロープ貫通手段と、
前身頃右側の、前記第一開閉手段によって前身頃の左右を接続した際に前記第一前身頃ロープ貫通手段と重なる位置に形成され、ロープを貫通させることができる第二前身頃ロープ貫通手段と、を備えることを特徴とする。
【００１６】
請求項９に記載の考案は、請求項１から８のいずれか一項に記載の空調衣服の服本体において、
前記前身頃ロープ貫通手段は、ロープを貫通させた状態においても開口部が残るように形成され、
前記前身頃ロープ貫通手段が、前記空気排出部を兼ねることを特徴とする。
【００１７】
請求項１０に記載の考案は、請求項１から９のいずれか一項に記載の空調衣服の服本体において、
後身頃に、ロープを貫通させることができる後身頃ロープ貫通手段をさらに備えることを特徴とする。
【００１８】
請求項１１に記載の考案は、請求項１０に記載の空調衣服の服本体において、
前記後身頃ロープ貫通手段は、
後身頃の服地に形成された開閉自在な孔部である第三開閉手段と、
筒状に形成され、一方の端部が前記第三開閉手段を囲むように後身頃に接合された後身頃ロープ挿通部と、
前記後身頃ロープ挿通部の後身頃に接合されているのとは反対側の端部に形成された後身頃空気漏れ防止手段と、
を備えることを特徴とする。
【００１９】
請求項１２に記載の考案は、請求項１０又は１１に記載の空調衣服の服本体において、
前記後身頃ロープ貫通手段は、ロープを貫通させた状態においても開口部が残るように形成され、
前記後身頃ロープ貫通手段が、前記空気排出部を兼ねることを特徴とする。
【００２０】
請求項１３に記載の考案は、空調衣服において、
請求項１から１２のいずれか一項に記載の空調衣服の服本体と、
前記空調衣服の服本体の内部に空気を導入する空気導入手段と、
前記空気導入手段に電力を供給する電源手段と、
を備えることを特徴とする。
【考案の効果】
【００２１】
本考案によれば、着用者の前方側にロープが取り付けられるフルハーネス型安全帯の上に着用し易い空調衣服の服本体及び空調衣服を提供することができる。
【図面の簡単な説明】
【００２２】
【図１】実施形態に係る空調衣服の第一開閉手段を閉じた状態における正面図である。なお、前身頃ロープ挿通部が服本体の外面側に引き出された状態を図示している。この点は他の図面においても同様である。
【図２】実施形態に係る空調衣服の第一開閉手段を開いた状態における正面図である。なお、前身頃の右側及び左側の両側を広げた状態につき図示している。
【図３】前身頃ロープ貫通手段の概略斜視図である。
【図４】変形例１に係る空調衣服の第一開閉手段を閉じた状態における背面図である。
【図５】変形例２に係る空調衣服の第一開閉手段を閉じた状態における正面図である。
【図６】変形例３に係る空調衣服の第一開閉手段を閉じた状態における正面図である。
【図７】変形例４に係る空調衣服の第一開閉手段を閉じた状態における正面図である。
【図８】変形例４に係る空調衣服の第一開閉手段を開いた状態における正面図である。なお、前身頃の左側のみを広げた状態につき図示している。
【考案を実施するための形態】
【００２３】
以下、本考案の実施の形態である空調衣服について、図１から図８に基づいて説明する。ただし、本考案の技術的範囲は図示例に限定されるものではない。
なお、以下においては、着用者が空調衣服１００を着用した状態を基準として、着用者の前側を前、着用者の後側を後、着用者の上側を上、着用者の下側を下、着用者の右手側を右、着用者の左手側を左と定めて説明する。
【００２４】
［実施形態の構成］
実施形態に係る空調衣服１００は、図１及び図２に示すように、服本体１と、服本体１内部に空気を導入するファン２と、ファン２に電力を供給する電源部３と、電源部３とファン２とを接続する接続ケーブル４と、を備え、ファン２によって服本体１内に取り込まれた空気を、着用者の身体又は下着の表面に沿って流通させることで、身体から出た汗を蒸発させ、蒸発する際の気化熱により身体を冷却するものである。
【００２５】
｛服本体｝
服本体１は、図１及び図２に示すように、通気性のない又はファン２による空気の導入によって膨らませることができる程度の通気性を有する服地によって、着用者の胴部及び腕部を覆う形状に形成されている。図１及び図２においては、服本体１をブルゾン型の上衣の形状に形成しているが、服本体１の形状はこれに限られず、例えば着用者の胴部のみを覆うベスト型に形成してもよい。
服本体１は、図１及び図２に示すように、第一開閉手段１１と、下端部空気漏れ防止手段１２と、ファン取付孔１３と、取付孔補強部材１４と、空気排出部１５と、電源部保持手段１６と、ケーブル保持手段１７と、前身頃ロープ貫通手段１８と、を備え、ファン取付孔１３からファン２によって取り込まれた外気が、空気排出部１５から排出されるように構成されている。
【００２６】
（第一開閉手段）
第一開閉手段１１は、服本体１を前開きとし、空調衣服１００を着用する際に、服本体１の前部を開閉するためのものであり、図１及び図２に示すように、服本体１の前身頃を左右に分割すると共に、その両側に例えば線ファスナー等を備えて、当該分割部分を着脱自在とすることにより形成されている。
第一開閉手段１１は、図１及び図２に示すように、服本体１の前身頃の左右方向中央部に形成された前身頃ロープ貫通手段１８を避けて、左右方向右寄り又は左寄りの位置に上下方向に延在するように形成されている。図１及び図２においては、これが服本体１の前身頃の左右方向右寄りの位置に形成された場合につき図示したが、第一開閉手段１１は、服本体１の前身頃の左右方向左寄りの位置に形成されていてもよい。
【００２７】
（下端部空気漏れ防止手段）
下端部空気漏れ防止手段１２は、図１及び図２に示すように、服本体１下部に備えられた、服本体１と着用者の身体との間の空間内の空気が服本体１の裾部から外部に漏れることを防止するための手段であり、例えば、服本体１の下部の端部付近に、ゴム紐等の伸縮性のある部材を、着用者の身体を周回するように備えることによって形成される。空調衣服１００の着用時においては、下端部空気漏れ防止手段１２によって、服本体１の裾部が絞り込まれて着用者の身体に密着し、服本体１下部から空気が外部に漏れることを防止することができる。
なお、服本体１が、裾部が絞り込まれた形状に形成された場合や、服本体１の裾部をズボンに入れて使用する場合等、裾部からの空気の流出量が僅かである場合には、必ずしも下端部空気漏れ防止手段１２を備えずともよい。
【００２８】
（ファン取付孔）
ファン取付孔１３は、図２に示すように、服本体１を形成する服地の着用者の腰の左右に対応する位置に形成された、空調衣服１００の着用時において、服本体１と着用者の身体との間の空間と、服本体１の外部の空間と、を繋ぐこととなる円形の孔部である。
ファン取付孔１３を挿通するようにしてファン２を取り付けることで、ファン取付孔１３を介して、外部の空気を服本体１内に取り込むことができる。
なお、ファン取付孔１３が形成される位置としては、上記の位置に限られず、服本体１の側面、前面等に形成することも可能である。また、ファン取付孔１３が形成される個数は、２個に限られず、これより少数又は多数のファン取付孔１３を形成し、これに対応した数のファン２を取り付けてもよい。
【００２９】
（取付孔補強部材）
取付孔補強部材１４は、図２に示すように、例えばプラスチック等によって形成された扁平な環状の部材であり、中心にファン取付孔１３と大きさが略一致する孔部１４１を有する。取付孔補強部材１４は、孔部１４１が、ファン取付孔１３に重なるように、服本体１の内面側に取り付けられる。これによって、服本体１のファン取付孔１３周辺が補強され、ファン２をファン取付孔１３に取り付け易くなり、また、取り付けられたファン２が外れ難くなる。
取付孔補強部材１４は、服本体１を形成する服地に対し、縫合、接着等任意の方法によって取り付けることができる。また、取付孔補強部材１４を服本体１の内面側から覆う裏地が備えられていてもよい。
なお、ファン２の取付けの容易性及びファン２の外れ難さは低下するものの、取付孔補強部材１４を備えない構成とすることも可能である。
【００３０】
（空気排出部）
空気排出部１５は、ファン２によってファン取付孔１３から導入された空気を、着用者の身体又は下着に沿って流通させた後に排出するための開口部であり、図１及び図２に示すように、着用者の首と服本体１の襟部の端部との間の開口部と、着用者の腕と服本体１の袖部の端部との間の開口部と、に形成される。
なお、空気排出部は、ファン２によってファン取付孔１３から導入された空気を、着用者の身体又は下着に沿って流通させた後に排出できるものであればよく、その形成位置は、襟部及び袖部に限定されない。
【００３１】
（電源部保持手段）
電源部保持手段１６は、図２に示すように、服本体１の内面側に形成されたポケットであり、電源部３が収納される。図２においては、電源部保持手段１６が、服本体１の前身頃の左側の下方の位置に備えられた場合について図示したが、これに限られず、服本体１の内面側の任意の位置に備えることが可能である。
なお、電源部保持手段１６としては、必ずしもポケットを用いる必要はなく、電源部３を服本体１に装着することが可能であれば、任意の構成を採用することができる。さらに、服本体１に電源部保持手段１６を備えず、例えば着用者のズボンのベルト等に電源部３をクリップ等を用いて取り付けることにより、電源部３が服本体１に装着されないようにすることも可能である。
【００３２】
（ケーブル保持手段）
ケーブル保持手段１７は、図２に示すように、接続ケーブル４を、服本体１の内面側に保持するための手段であり、例えば、接続ケーブル４を挿通可能な開口部を有するリング状に形成され、当該開口部に接続ケーブル４を挿通させることによって、これを保持することができるように構成されている。
【００３３】
ケーブル保持手段１７としては、接続ケーブル４を服本体１内面側において所定の位置に保持することができれば、種々の形状及び材料のものを使用可能であり、例えば、一般的なベルト通しのように、上下方向に長い布を上下２か所において縫い付けることにより形成することができる。また、配置位置も、図２に示すものに限られない。
【００３４】
（前身頃ロープ貫通手段）
前身頃ロープ貫通手段１８は、着用者が服本体１の内側に着用したフルハーネス型安全帯のロープを、服本体１の内部から外部へと引き出すための貫通部である。
【００３５】
前身頃ロープ貫通手段１８は、図１に示すように、服本体１の前身頃の左右方向中央上部に備えられ、図１及び図３に示すように、服本体１の前身頃の服地に形成された開閉自在な孔部である第二開閉手段１８１と、筒状に形成され、一方の端部が第二開閉手段１８１を囲むように服本体１の前身頃に接合された前身頃ロープ挿通部１８２と、前身頃ロープ挿通部１８２の服本体１の前身頃に接合されているのとは反対側の端部に形成された前身頃空気漏れ防止手段１８３と、を備える。
【００３６】
第二開閉手段１８１は、図１及び図３に示すように、服本体１の前身頃の上部の服地に形成された上下方向の切れ目を開閉自在とすることにより形成されている。第二開閉手段１８１を開閉自在とする手段としては、例えば、第一開閉手段１１と同様に線ファスナーを用いることができる。
【００３７】
前身頃ロープ挿通部１８２は、図１から図３に示すように、一方の端部が第二開閉手段１８１を囲むように服本体１の服地の内面側に接合された筒状に形成されている。また、他方の端部に前身頃空気漏れ防止手段１８３が備えられている。
前身頃ロープ挿通部１８２の材料としては、通気性のない又は通気性の小さい折り曲げ自在なシート状部材が用いられ、例えば、服本体１の服地と同じ材料を用いてもよいし、ビニール等の別の材料を用いてもよい。
【００３８】
前身頃空気漏れ防止手段１８３は、図３に示すように、前身頃ロープ挿通部１８２の服本体１の服地に接続されているのとは反対側の端部に、２か所の引出口１８３２を有し、内部に紐を通すことができる空隙を有する略環状の紐通し部１８３１を形成し、紐通し部１８３１に、これを一周する長さよりも長い紐１８３３を通し、紐１８３３の引出口１８３２から外部に出ている２つの端部に、コードストッパー１８３４を備えることによって、形成されている。
これによって、紐１８３３の両端部を引っ張った上で、コードストッパー１８３４を、引出口１８３２付近に固定することで、前身頃ロープ挿通部１８２の服本体１に接続されているのとは反対側の端部を、フルハーネス型安全帯のロープを通した状態で密閉することが可能となる。
【００３９】
前身頃ロープ貫通手段１８は、これを使用しない場合には、前身頃ロープ挿通部１８２を、第二開閉手段１８１を介して服本体１の内面側に押し込み、第二開閉手段１８１を閉じることによって、服本体１の内部に収納することができる。また、前身頃ロープ貫通手段１８を使用する際には、第二開閉手段１８１を開けて、前身頃ロープ挿通部１８２を引き出せばよい。
【００４０】
｛ファン｝
ファン２は、図２に示すように、ファン取付孔１３を挿通するようにして服本体１に取り付けられ、ファン取付孔１３を通して、服本体１と着用者の身体との間の空間に空気を導入するためのものである。
ファン２には、電源部３より、接続ケーブル４を通じて必要な電力が供給される。
【００４１】
ファン２としては、ファン取付孔１３を挿通するようにして服本体１に取り付けられ、服本体１内部に空気を導入できるものであれば、任意の構成を採用可能である。
【００４２】
｛電源部｝
電源部３は、ファン２に電力を供給するための部材であり、例えば、安全保護回路が付加されたリチウムイオン組電池が内蔵され、接続ケーブル４を通じてファン２と接続される。
電源部３は、ファン２に電力を供給することができるものであれば、その具体的な構成は任意である。
また、図２に示すように、本実施形態においては、電源部３は、電源部保持手段１６としてのポケットに収納されているが、上記のように電源部３を保持するための手段はこれに限られない。
【００４３】
｛接続ケーブル｝
接続ケーブル４は、電源部３とファン２とを接続するケーブルであり、接続ケーブル４を通じて、電源部３からファン２に対して、ファン２の稼働に必要な電力が供給される。接続ケーブル４は、図２に示すように、ケーブル保持手段１７によって、服本体１の内面側に保持されている。
なお、接続ケーブル４は、電源部３からファン２に対して、ファン２の稼働に必要な電力を供給できるものであればよく、その具体的な構成は任意である。
また、接続ケーブル４を備えることなく、ファン２と電源部３とが直接接続される構成とすることも可能である。また、ファン２と電源部３とを一体化してもよい。
【００４４】
［実施形態の効果］
本実施形態に係る空調衣服１００によれば、服本体１の前身頃に前身頃ロープ貫通手段１８が備えられていることで、これを用いて、服本体１の内側から外側へとロープを貫通させることが可能となることから、着用者の前方側にロープが取り付けられるフルハーネス型安全帯の上に着用することが容易となる。
【００４５】
また、着用者の前方側にロープが取り付けられるフルハーネス型安全帯においては、通常、着用者の前方の左右方向中央部にロープが取り付けられることから、これに対応するためには、空調衣服の服本体においても、前身頃ロープ貫通手段は服本体の前身頃の左右方向中央部に備えられることが好適である。
しかしながら、通常の前開きの衣服においては、当該位置には、線ファスナー等を備えた開閉手段が備えられていることから、この場合、前身頃ロープ貫通手段と服本体を前開きにするための開閉手段との位置が重なることとなり、両者を同時に備えることは困難である。
【００４６】
これに対し、本実施形態に係る空調衣服１００によれば、第一開閉手段１１が、服本体１の前身頃の左右方向右寄り又は左寄りの位置に形成されていることで、服本体１に、前身頃ロープ貫通手段１８と、服本体１を前開きとするための第一開閉手段１１との両者を備えることが可能となる。
【００４７】
また、本実施形態に係る空調衣服１００によれば、前身頃ロープ貫通手段１８は、服本体１の前身頃の服地に形成された開閉自在な孔部である第二開閉手段１８１と、筒状に形成され、一方の端部が第二開閉手段１８１を囲むように服本体１の前身頃に接合された前身頃ロープ挿通部１８２と、前身頃ロープ挿通部１８２の服本体１の前身頃に接続されているのとは反対側の端部に形成された前身頃空気漏れ防止手段１８３と、から構成されている。
これによって、前身頃空気漏れ防止手段１８３によって、フルハーネス型安全帯のロープを通した状態で、前身頃ロープ貫通手段１８を密閉することが可能となり、また、フルハーネス型安全帯の上に着用しない場合には、前身頃ロープ貫通手段１８を服本体１の内部に収納することが可能となる。
【００４８】
［変形例］
以下、上記実施形態の変形例について説明する。なお、上記実施形態に係る空調衣服１００と同一の部分については、同一の符号を付して説明を省略する。
【００４９】
（変形例１）
図４に示す空調衣服１００Ａのように、服本体は、前身頃に前身頃ロープ貫通手段１８を備えると共に、後身頃にも、後身頃ロープ貫通手段１９を備えてもよい。
【００５０】
図４に示すように、後身頃ロープ貫通手段１９は、服本体１Ａの後身頃の左右方向中央上部に備えられる。
また、後身頃ロープ貫通手段１９は、前身頃ロープ貫通手段１８と同様の構成を有し、服本体１Ａの後身頃の服地に形成された開閉自在な孔部である第三開閉手段１９１と、筒状に形成され、一方の端部が第三開閉手段１９１を囲むように服本体１Ａの後身頃に接合された後身頃ロープ挿通部１９２と、後身頃ロープ挿通部１９２の服本体１Ａの後身頃に接続されているのとは反対側の端部に形成された後身頃空気漏れ防止手段１９３と、を備える。
【００５１】
本変形例によれば、着用者の前方側にロープが取り付けられるフルハーネス型安全帯及び着用者の後方側にロープが取り付けられるフルハーネス型安全帯のいずれの上にも着用し易い空調衣服を提供することが可能となる。
【００５２】
（変形例２）
服本体を前開きとするための第一開閉手段は、図５に示す第一開閉手段１１Ａのように、これを斜めに形成することで、前身頃ロープ貫通手段１８を避けるようにしてもよい。
図５においては、上端部が左右方向右寄りに位置し、下端部が左右方向中央部付近に位置する場合につき図示したが、これに限られず、例えば、上端部が左右方向左寄りに位置してもよい。また、例えば、下端部が左右方向右寄り又は左寄りに位置し、上端部が左右方向中央部に位置するようにしてもよい。
【００５３】
本変形例によれば、第一開閉手段の形成位置の左右方向中央部からのずれを、上記実施形態に係る空調衣服１００よりも抑えつつ、服本体１Ｂに、前身頃ロープ貫通手段１８と、服本体１Ｂを前開きとするための第一開閉手段１１Ａとの両者を備えることが可能となる。
【００５４】
（変形例３）
服本体を前開きとするための第一開閉手段は、図６に示す第一開閉手段１１Ｂのように、上端部及び下端部のいずれも前身頃の左右方向中央部に位置させつつ、前身頃ロープ貫通手段１８の近傍において曲げることで、これを避けるようにしてもよい。
図６においては、第一開閉手段１１Ｂが右方向に湾曲する場合につき図示したが、これに限られず、例えば、左方向に湾曲するように形成してもよい。
【００５５】
本変形例によれば、第一開閉手段の形成位置の左右方向中央部からのずれを最小限に抑えつつ、服本体１Ｃに、前身頃ロープ貫通手段１８と、服本体１Ｃを前開きとするための第一開閉手段１１Ｂとの両者を備えることが可能となる。
【００５６】
（変形例４）
服本体は、図７及び図８に示す服本体１Ｄのように構成してもよい。すなわち、前身頃の右側を延長し、第一開閉手段１１Ｃのうち、前身頃右側に備えられる部分（第一開閉手段右側１１１とする。なお、第一開閉手段１１Ｃのうち、前身頃左側に備えられる部分を第一開閉手段左側１１２とする。）につき、前身頃右側の端部ＲＥ（前身頃右側のうち、第一開閉手段１１Ｃを閉じた状態において最も左に位置する部分）から間隔を空けた位置に形成すると共に、前身頃ロープ貫通手段１８Ａにつき、前身頃右側に備えられた第一前身頃ロープ貫通手段１８４と、前身頃左側に備えられた第二前身頃ロープ貫通手段１８５と、から構成する。
【００５７】
第一前身頃ロープ貫通手段１８４は、前身頃右側の端部ＲＥと、第一開閉手段右側１１１との間の位置に形成された、着用者が服本体１Ｄの内側に着用したフルハーネス型安全帯のロープを、服本体１Ｄの内部から外部へと引き出すための貫通部である。
【００５８】
第一前身頃ロープ貫通手段１８４は、服本体１Ｄの前身頃右側の端部ＲＥと、第一開閉手段右側１１１との間の位置の服地に形成された孔部（図視せず）と、筒状に形成され、一方の端部が前記孔部を囲むように服本体１Ｄの服地に接合された筒状の前身頃ロープ挿通部１８４１と、前身頃ロープ挿通部１８４１の服本体１Ｄの服地に接合されているのとは反対側の端部に形成された前身頃空気漏れ防止手段１８４２と、からなる。
【００５９】
第二前身頃ロープ貫通手段１８５は、服本体１Ｄの前身頃左側の、第一開閉手段１１Ｃによって前身頃の左右を接続した際に第一前身頃ロープ貫通手段１８４と重なる位置に形成された、着用者が服本体１Ｄの内側に着用したフルハーネス型安全帯のロープを、服本体１Ｄの内部から外部へと引き出すための貫通部である。
具体的には、第二前身頃ロープ貫通手段１８５は、前身頃左側の、第一開閉手段１１Ｃによって前身頃の左右を接続した際に第一前身頃ロープ貫通手段１８４と重なる位置に形成された孔部につき、線ファスナー等によって開閉自在とすることによって形成されている。
【００６０】
第二前身頃ロープ貫通手段１８５につき開放状態とした上で、第一前身頃ロープ貫通手段１８４の前身頃ロープ挿通部１８４１を、第二前身頃ロープ貫通手段１８５を通して引き出すことで、前身頃ロープ挿通部１８４１内を通して、着用者が服本体１Ｄの内側に着用したフルハーネス型安全帯のロープを、服本体１Ｄの内部から外部へと引き出すことが可能となる。
また、前身頃ロープ貫通手段１８Ａを使用しない場合には、前身頃ロープ挿通部１８４１を、第二前身頃ロープ貫通手段１８５を介して服本体１Ｄの内側に押し込み、第二前身頃ロープ貫通手段１８５を閉じることによって、前身頃ロープ貫通手段１８Ａを服本体１Ｄの内部に収納することができる。
【００６１】
本変形例によれば、図７に示すように、第一開閉手段１１Ｃにつき、前身頃の左右方向右寄りの位置に形成した場合においても、服本体１Ｄの襟につき、左右対称に作ることが可能となり、空調衣服の外観の悪化を抑制できる。
【００６２】
なお、上記においては、第一開閉手段１１Ｃにつき、前身頃の左右方向右寄りの位置に形成した場合について説明したが、前身頃の左右方向左寄りの位置に形成してもよい。
この場合、上記の説明とは左右が全て逆となり、第一前身頃ロープ貫通手段１８４が前身頃左側に形成され、第二前身頃ロープ貫通手段１８５が前身頃右側に形成されることとなる。
【００６３】
（その他の変形例）
密閉性や不使用時の収納の観点からは、前身頃ロープ貫通手段１８は、上記のとおり、第二開閉手段１８１、前身頃ロープ挿通部１８２及び前身頃空気漏れ防止手段１８３を備えるものが好ましく、後身頃ロープ貫通手段１９は、上記のとおり、第三開閉手段１９１、後身頃ロープ挿通部１９２及び後身頃空気漏れ防止手段１９３を備えるものが好ましいが、必ずしもこれに限られず、着用者が服本体の内側に着用したフルハーネス型安全帯のロープを、服本体の内部から外部へと引き出すことができるものであれば、その他の構成を採用することも可能である。
例えば、製造の容易性を重視し、シンプルなスリット等として構成してもよい。
【００６４】
変形例４に係る前身頃ロープ貫通手段１８Ａについても、第一前身頃ロープ貫通手段１８４及び第二前身頃ロープ貫通手段１８５は、第一開閉手段１１Ｃによって前身頃の左右を接続した際に重なる位置に形成されると共に、いずれもフルハーネス型安全帯のロープを通すことができるものであればよく、上記のような構成には限られない。例えば、製造の容易性を重視し、いずれもシンプルなスリット等として構成してもよい。
【００６５】
また、前身頃ロープ貫通手段１８及び／又は後身頃ロープ貫通手段１９につき、あえてフルハーネス型安全帯のロープを通した使用状態においても開口部が残るように形成し、前身頃ロープ貫通手段１８及び／又は後身頃ロープ貫通手段１９が、ファン２によってファン取付孔１３から導入された空気を排出するための空気排出部を兼ねるようにしてもよい。この点は変形例４に係る前身頃ロープ貫通手段１８Ａについても同様である。
【符号の説明】
【００６６】
１００、１００Ａ、１００Ｂ、１００Ｃ、１００Ｄ  空調衣服
１、１Ａ、１Ｂ、１Ｃ、１Ｄ  服本体
１１、１１Ａ、１１Ｂ、１１Ｃ  第一開閉手段
１１１  第一開閉手段右側
１１２  第一開閉手段左側
１３  ファン取付孔（取付孔）
１５  空気排出部
１８、１８Ａ  前身頃ロープ貫通手段
１８１  第二開閉手段
１８２  前身頃ロープ挿通部
１８３  前身頃空気漏れ防止手段
１８４  第一前身頃ロープ貫通手段
１８５  第二前身頃ロープ貫通手段
１９  後身頃ロープ貫通手段
１９１  第三開閉手段
１９２  後身頃ロープ挿通部
１９３  後身頃空気漏れ防止手段
２  ファン（空気導入手段）
３  電源部（電源手段）
４  接続ケーブル（電源手段）
ＲＥ  前身頃右側の端部
【図１】
0003220903.tif 000003
【図２】
0003220903.tif 000004
【図３】
0003220903.tif 000005
【図４】
0003220903.tif 000006
【図５】
0003220903.tif 000007
【図６】
0003220903.tif 000008
【図７】
0003220903.tif 000009
【図８】
0003220903.tif 000010